(57)【要約】【課題】磁気情報の読み取り不良が発生した場合でも効率よく補完して全体の磁気情報を取得することができるカード状媒体処理装置及び磁気情報読み取り方法を提供すること。【解決手段】直線的に配列された磁気情報が記録されたカード状の媒体Ｔから、磁気情報を第１の方向Ｗ１及び第２の方向Ｗ２で読み取り、第１の方向Ｗ１で読み取った磁気情報ＭＤ１のうち所定の位置Ｐよりも第１の方向Ｗ１で下流側に配列された第１の部分情報ＭＤ１ｓと、第２の方向Ｗ２で読み取った磁気情報ＭＤ２のうち所定の位置Ｐよりも第２の方向Ｗ２で下流側に配列された第２の部分情報ＭＤ２ｓとを結合して全体情報ＭＤＡを得る。【選択図】図４
2009048339.tif 000002
【特許請求の範囲】
【請求項１】
直線的に配列された磁気情報が記録されたカード状の媒体に対する相対的な直線的移動により前記磁気情報を読み取る磁気情報読み取り手段と；
前記カード状の媒体が前記磁気情報読み取り手段に対して第１の方向に相対的に移動して読み取った前記磁気情報のうち所定の位置よりも前記第１の方向で下流側に配列された第１の部分情報と、前記カード状の媒体が前記磁気情報読み取り手段に対して前記第１の方向とは逆向きの第２の方向に相対的に移動して読み取った前記磁気情報のうち前記所定の位置よりも前記第２の方向で下流側に配列された第２の部分情報とを結合して、前記カード状の媒体に記録された全体の前記磁気情報に対応する全体情報を生成する全体情報生成手段とを備える；
カード状媒体処理装置。
【請求項２】
直線的に配列された磁気情報が記録されたカード状の媒体から、前記磁気情報を第１の方向で読み取る第１の読み取り工程と；
前記カード状の媒体から前記磁気情報を前記第１の方向とは逆向きの第２の方向で読み取る第２の読み取り工程と；
前記第１の読み取り工程で読み取った前記磁気情報のうち所定の位置よりも前記第１の方向で下流側に配列された第１の部分情報と、前記第２の読み取り工程で読み取った前記磁気情報のうち前記所定の位置よりも前記第２の方向で下流側に配列された第２の部分情報とを結合する結合工程とを備える；
磁気情報読み取り方法。
【発明の詳細な説明】
【技術分野】
【０００１】
本発明はカード状媒体処理装置及び磁気情報読み取り方法に関し、特に磁気情報の読み取り不良が発生した場合でも効率よく補完して全体の磁気情報を取得することができるカード状媒体処理装置及び磁気情報読み取り方法に関する。
【背景技術】
【０００２】
改札業務を人間に代わって機械に行わせるために、自動改札機や自動精算機等が多くの改札口に設置されている。自動精算機等には、乗車券に記録された旅客運送機関と旅客との運送契約に関する磁気情報を読み取る磁気ヘッドが設けられている。自動精算機等は、挿入口から挿入された乗車券を搬送ベルトによって磁気ヘッド近傍まで搬送し、乗車券に記録された磁気情報を磁気ヘッドで読み取る際には、乗車券を磁気ヘッドに対して密着させて一定の速度で搬送するために、乗車券の厚さよりも狭い間隔で磁気ヘッドに対向して配置されたローラにより搬送している（例えば、特許文献１参照。）。
【特許文献１】特開２００３−１３２３７６号公報（段落０００２等）
【発明の開示】
【発明が解決しようとする課題】
【０００３】
自動精算機等における処理の高速化が著しい昨今、乗車券の搬送速度の高速化も顕著になっており、乗車券が磁気ヘッドに突入したときに乗車券やローラの変形等によりスリップが生じ、磁気ヘッドにおける乗車券に記録された磁気情報の読み取り不良が発生することがあった。この読み取り不良は、特に、ＳＦ（ストアードフェア）カードとして用いられるＰＥＴカードの乗車券で、また読み取り初めの部分で、発生することが多い。
【０００４】
本発明は上述の課題に鑑み、磁気情報の読み取り不良が発生した場合でも効率よく補完して全体の磁気情報を取得することができるカード状媒体処理装置及び磁気情報読み取り方法を提供することを目的とする。
【課題を解決するための手段】
【０００５】
上記目的を達成するために、本発明の第１の態様に係るカード状媒体処理装置は、例えば図４に示すように、直線的に配列された磁気情報ＭＤ（例えば図２参照）が記録されたカード状の媒体Ｔに対する相対的な直線的移動により磁気情報ＭＤ（例えば図２参照）を読み取る磁気情報読み取り手段１６ｈと；カード状の媒体Ｔが磁気情報読み取り手段１６ｈに対して第１の方向Ｗ１に相対的に移動して読み取った磁気情報ＭＤ１のうち所定の位置Ｐよりも第１の方向Ｗ１で下流側に配列された第１の部分情報ＭＤ１ｓと、カード状の媒体Ｔが磁気情報読み取り手段１６ｈに対して第１の方向Ｗ１とは逆向きの第２の方向Ｗ２に相対的に移動して読み取った磁気情報ＭＤ２のうち所定の位置Ｐよりも第２の方向Ｗ２で下流側に配列された第２の部分情報ＭＤ２ｓとを結合して、カード状の媒体Ｔに記録された全体の磁気情報ＭＤ（例えば図２参照）に対応する全体情報ＭＤＡを生成する全体情報生成手段３２３（例えば図３参照）とを備える。
【０００６】
このように構成すると、第１の部分情報と第２の部分情報とを結合してカード状の媒体に記録された全体の磁気情報に対応する全体情報を生成する全体情報生成手段を備えるので、１度目の読み取り操作で磁気情報の読み取り不良が発生した場合でも効率よく補完して、カード状の媒体に記録された全体の磁気情報を取得することができる。
【０００７】
仮に、カード状の媒体を磁気情報読み取り手段に対して第１の方向に相対的に移動させて行った１度目の読み取り操作で磁気情報の読み取り不良が発生した場合に、１度目の読み取り操作で取得した情報をキャンセルして、第１の方向とは逆向きの第２の方向に相対的に移動させて行う２度目の読み取り操作でカード状の媒体に記録された磁気情報のすべてを読み取ろうとすると、カード状の媒体のスリップ等により再び読み取り不良が発生して、読み取り不良が発生しなくなるまで何度も読み取り操作を行わなければならなくなることが生じうるが、本発明の第１の態様に係るカード状媒体処理装置によれば、１度目の読み取り操作で磁気情報の読み取り不良が発生した場合でも効率よく補完して、カード状の媒体に記録された全体の磁気情報を取得することができる。
【０００８】
また、上記本発明の第１の態様に係るカード状媒体処理装置において、全体情報生成手段３２３（例えば図３参照）が、所定の位置Ｐ（例えば図４参照）を変更可能に構成されていてもよい。
【０００９】
このように構成すると、磁気情報読み取り手段がカード状の媒体から磁気情報を読み取る際に、読み取る方向によって読み取り不良が発生する範囲が異なる場合に、所定の位置を適切に変更して正確な磁気情報を取得することができる。
【００１０】
上記目的を達成するために、本発明の第２の態様に係る磁気情報読み取り方法は、例えば図４に示すように、直線的に配列された磁気情報ＭＤ（例えば図２参照）が記録されたカード状の媒体Ｔから、磁気情報ＭＤ（例えば図２参照）を第１の方向Ｗ１で読み取る第１の読み取り工程（例えば図４（ｂ）参照）と；カード状の媒体Ｔから磁気情報ＭＤ（例えば図２参照）を第１の方向Ｗ１とは逆向きの第２の方向Ｗ２で読み取る第２の読み取り工程（例えば図４（ｃ）参照）と；第１の読み取り工程で読み取った磁気情報ＭＤ１のうち所定の位置Ｐよりも第１の方向Ｗ１で下流側に配列された第１の部分情報ＭＤ１ｓと、第２の読み取り工程で読み取った磁気情報ＭＤ２のうち所定の位置Ｐよりも第２の方向Ｗ２で下流側に配列された第２の部分情報ＭＤ２ｓとを結合する結合工程（例えば図４（ｄ）参照）とを備える。
【００１１】
このように構成すると、第１の部分情報と第２の部分情報とを結合する結合工程を備えるので、第１の読み取り工程で磁気情報の読み取り不良が発生した場合でも効率よく補完して、カード状の媒体に記録された全体の磁気情報を取得することができる。
【発明の効果】
【００１２】
本発明によれば、第１の部分情報と第２の部分情報とを結合するので、１度目の読み取り操作（第１の読み取り工程）で磁気情報の読み取り不良が発生した場合でも効率よく補完して、カード状の媒体に記録された全体の磁気情報を取得することができる。
【発明を実施するための最良の形態】
【００１３】
以下、図面を参照して本発明の実施の形態について説明する。なお、各図において互いに同一又は相当する部材には同一あるいは類似の符号を付し、重複した説明は省略する。
【００１４】
まず図１を参照して、本発明の第１の実施の形態に係るカード状媒体処理装置としてのカード処理装置１を説明する。図１は、カード処理装置１の模式的構造図である。カード処理装置１は、例えば自動精算機（不図示）に内蔵されている。自動精算機（不図示）は、典型的には、駅務機器として駅舎内の改札口付近に設置されている。カード処理装置１の説明をするのに先立ち、自動精算機（不図示）の概略構成を図面を参照せずに説明する。自動精算機は、典型的には、カード処理装置１（図１参照）のほか、紙幣処理装置、硬化処理装置、発券装置、制御装置を筐体内に収納し、さらに利用者に精算可能か否かを示す表示装置、利用者の入力操作に供する入力装置（ボタン等）を筐体の表面に現れるように収納している。表示装置を備えることで、利用者は挿入したカードが精算可能であるか否かを視覚的に知ることができ、自動精算機は精算金額やカードの残高の情報等を利用者に伝えることができる。また、筐体を備えることで、例えばカード処理装置１の挿入口１４ａ（図１参照）を適切な高さ（例えば腰の高さ）に配置し、表示装置を見やすい位置に、入力装置を操作しやすい位置に配置でき、さらにカード処理装置１の挿入口１４ａ（図１参照）のみを外部に露出させてその他の部分や装置を隠蔽とすることができる。カード処理装置１（図１参照）は、後述するように、カードの読み取り不良の発生を大幅に低減することができることから、これを備える自動精算機は、例えば読み取り不良で返却されたカードを利用者が何度も挿入し直すことにより一人に占有されることを回避することができ、他の利用者の不便になることを防ぐことができる。さらに、読み取り不良で返却されたカードを利用者が係員まで持って行くことが減ることとなり、利便性を向上させることができる。また、読み取り不良で返却されたカードを係員が処理することが減ることとなり、業務の効率化を図ることができる。
【００１５】
図１を参照してカード処理装置１を説明する。カード処理装置１は、主要な部材として、磁気情報読み取り手段としてのエンコード部１６と、パンチ部１７と、印字部１８と、保留部１９と、ＩＣカード処理部２０と、制御装置３０とを備えている。エンコード部１６、パンチ部１７、印字部１８、保留部１９は、第２搬送部１２上に配設されており、ＩＣカード処理部２０は第３搬送部１３上に配設されている。第２搬送部１２及び第３搬送部１３は、振り分け機構１５を介してそれぞれ第１搬送部１１に接続可能に構成されている。第１搬送部１１は、カード状の媒体を受け入れる挿入部１４に接続されている。
【００１６】
カード処理装置１が処理可能なカード状の媒体としては、処理される情報が磁気で記録されたもの（磁気情報が記録されたカード状の媒体。以下単に「磁気カード」ということもある。）と、処理される情報がＩＣチップ（集積回路）に記録されたもの（ＩＣカード）とがある。磁気情報が記録されたカード状の媒体として、ＳＦ（ストアードフェア）カードや定期券として用いられるＰＥＴカード、乗車区間が決められている切符や回数券として用いられるエドモンソン券、大型券等があり、磁気情報が記録されたカード状の媒体はこれらを包含する概念であるが、本実施の形態では、磁気情報が記録されたカード状の媒体がＰＥＴカードであるとして説明する。
【００１７】
図２に磁気情報が記録されたカード状の媒体としてのＰＥＴカードＴ（以下単に「カードＴ」という。）の概略構成を示す。図２（ａ）はカードＴの平面図、図２（ｂ）はカードＴに記録された磁気情報ＭＤの一例を示す構造図、図２（ｃ）はカードＴに記録された磁気情報ＭＤの別の例を示す構造図である。カードＴは、典型的には長方形に形成されており、その厚さが約０．２ｍｍとなっている。カードＴの一方の面には、磁気情報ＭＤが記録されている。磁気情報ＭＤは、カードＴの長手方向に直線的に配列されている。図２（ａ）では、説明の便宜上、磁気情報ＭＤが目視できるように示されているが、磁気情報ＭＤはカードＴに対して磁気的に記録されているために、典型的には、目視できないように構成されている。磁気情報ＭＤは、直線的な配列の端部に位置するプリアンブルデータｐｒ、このプリアンブルデータｐｒと反対側の端部に位置するポストアンブルデータｐｓ、プリアンブルデータｐｒとポストアンブルデータｐｓとの間に位置するデータ本体ｂを有している。
【００１８】
図２（ｂ）に示すように、データ本体ｂは、内容（例えば有効期限等）に関するデータＤ（各データＤ１、Ｄ２、・・・、Ｄｎ、・・・を総称して「データＤ」という）と、データＤの位置の対応を取るためのクロックパルスＣ（各クロックパルスＣ１、Ｃ２、・・・、Ｃｎ、・・・を総称して「クロックパルスＣ」という）とを含んで構成されている。データ本体ｂは、典型的には、各クロックパルスＣに対応する位置にデータＤが書き込まれているか否かにより、デジタルデータとして記憶されている。
【００１９】
図１に戻ってカード処理装置１の構成の説明を続ける。なお、以下の説明においてカードＴに関して言及したときは適宜図２を参照することとする。第１搬送部１１、第２搬送部１２、第３搬送部１３は、それぞれ、搬送ローラ、プーリ、及び搬送ベルトを適宜有し、カードＴをエンコード部１６やＩＣカード処理部２０等の各部位に搬送できるように構成されている。また、第１搬送部１１、第２搬送部１２、第３搬送部１３は、それぞれ異なる駆動手段としてのステッピングモータ（不図示）を有し、カードＴを正逆両方向に搬送することができるように構成されている。なお、第１搬送部１１及び第２搬送部１２は、ステッピングモータ（不図示）を共通としてもよい。
【００２０】
挿入部１４は、カードＴをカード処理装置１内へ取り込み、カード処理装置１外へ排出する挿入口１４ａと、挿入口１４ａから取り込まれたカードＴを幅寄せ（片寄せ）を行うように整列させる整列部１４ｂと、取り込まれたカードＴの種類（磁気カードとＩＣカードとの別）を検出する検出部１４ｃとを含んで構成されている。整列部１４ｂでカードＴを整列させることにより、各部（エンコード部１６等）におけるカードＴの処理が行われる際の配置を適切な位置にすることができる。振り分け機構１５は、振り分け爪を有し、振り分け爪の傾きにより、第１搬送部１１と第２搬送部１２とを接続するか、第１搬送部１１と第３搬送部１３とを接続するかを切り替えることができるように構成されている。
【００２１】
エンコード部１６は、第２搬送部１２により搬送（移動）されてきたカードＴに対して、磁気情報ＭＤの読み込み、書き込みの等の磁気情報処理を行うものである。エンコード部１６は、カードＴに対して磁気情報ＭＤの読み込み及び書き込みを行う磁気ヘッド１６ｈと、カードＴを磁気ヘッド１６ｈに密着させながら一定の速度で移動させるプラテンローラ１６ｒとを有している。プラテンローラ１６ｒは、典型的には第２搬送部１２を駆動するステッピングモータ（不図示）により駆動される。プラテンローラ１６ｒは（本実施の形態では第２搬送部１２も）、典型的には、７００ｍｍ／ｓ〜１０００ｍｍ／ｓでカードＴを移動させることができるように構成されている。磁気ヘッド１６ｈは、カードＴから読み取った磁気情報ＭＤを信号として制御装置３０に送信することができるように、制御装置３０と電気的に接続されている。
【００２２】
パンチ部１７は、カードＴに、利用の目安となる穿孔処理を適宜な位置に行う部分である。パンチ部１７は、カードＴに穿孔するパンチ機構と、搬送されるカードＴを検知する検知器を有している。パンチ機構は、カードＴに穿孔する穿孔ピンを有している。穿孔ピンは、鋭利な先端を有し、ソレノイドの駆動によりカードＴに穿孔できるように構成されている。印字部１８は、第２搬送部１２により搬送されるカードＴに印字処理を行う部分である。印字処理とは、カードＴに利用情報（例えばカードＴの残金の情報）や発行情報を示す印字を行う処理である。印字部１８は、カードＴへの印字を行うサーマルヘッドを有している。保留部１９は、第２搬送部１２上にあるカードＴを一時保留する部分である。また、保留部１９は、挿入部１４よりカードＴが複数枚挿入されたときの退避エリアとしての機能も有している。
【００２３】
ＩＣカード処理部２０は、カード状の媒体としてＩＣカードが挿入されたときにＩＣカードに対する情報の読み取り及び書き込みを行う部分である。ＩＣカード処理部２０は、ＩＣカードに対する情報の読み取り及び書き込みを非接触で行うためのアンテナを有している。
【００２４】
上述の、第１搬送部１１、第２搬送部１２、第３搬送部１３、振り分け機構１５、エンコード部１６、パンチ部１７、印字部１８、保留部１９、ＩＣカード処理部２０は、それぞれ制御装置３０と電気的に接続されており、制御装置３０からの信号を受信して作動するように構成されている。また、制御装置３０は、エンコード部１６で読み取りされたカードＴに記録された磁気情報ＭＤを信号として取り込むことができるように構成されている。
【００２５】
ここで図３を参照して、制御装置３０の構成を説明する。図３は、制御装置３０の概略構成を示すブロック図である。制御装置３０は、各搬送部１１、１２、１３及びエンコード部１６等と電気的に接続されているほか、磁気ヘッド１６ｈにおける読み取り不良が発生した場合の磁気情報ＭＤの補完をする判定部３１と、カード処理装置１の動作を制御する制御部３５とを有している。判定部３１は、エンコード部１６との間で入出力信号の処理を行う処理部３２と、判定部３１が必要とする各種データを記憶しておく領域である記憶部３３とを有している。
【００２６】
ここで図４を参照して（カード処理装置１の部材の符号については適宜図１を参照）、読み取り不良が発生した場合の磁気情報ＭＤを補完する方法の概念を説明する。本実施の形態では、図４（ａ）に示すように、第２搬送部１２上に固定された磁気ヘッド１６ｈに対して、磁気情報ＭＤが配列された方向に沿ってカードＴが搬送される際に、磁気ヘッド１６ｈがカードＴに記録されている磁気情報ＭＤを読み取る。図４（ｂ）に示すように、最初に磁気情報ＭＤの読み取りが試みられるときは、カードＴは振り分け装置１５から遠ざかる方向（以下この方向を「正方向Ｗ１」（第１の方向）という。）に搬送される。このとき、第２搬送部１２の搬送ベルトでエンコード部１６付近まで高速で搬送されてきたカードＴが、エンコード部１６においてカードＴの厚みよりも狭い間隔のプラテンローラ１６ｒと磁気ヘッド１６ｈとの間に突入し、プラテンローラ１６ｒにより磁気ヘッド１６ｈに密着させられる際の衝撃（制止力）でカードＴの搬送速度が一時的に搬送ベルト及びプラテンローラ１６ｒの速度よりも落ちることによりスリップが生じ、特に読み取り初めの部分の磁気情報ＭＤが正確に読み取れない場合が生じて、読み取り不良部ＮＧ１（正読み取り不良情報ＮＧ１）が発生しうる。そこで、図４（ｃ）に示すように、正確に読み取れなかった部分の磁気情報ＭＤの読み取りを再度試みるために、正方向Ｗ１に移動して磁気ヘッド１６ｈを通り過ぎたカードＴを、正方向Ｗ１とは反対の方向（以下この方向を「逆方向Ｗ２」（第２の方向）という。）に搬送する。このときも、カードＴがエンコード部１６においてプラテンローラ１６ｒにより磁気ヘッド１６ｈに密着させられる際にスリップが生じて特に読み取り初めの部分の磁気情報ＭＤが正確に読み取れない場合が生じて、読み取り不良部ＮＧ２（逆読み取り不良情報ＮＧ２）が発生しうるが、逆方向Ｗ２にカードＴを搬送したときに読み取り初めとなる部分は、正方向Ｗ１にカードＴを搬送したときの読み取りの終わり部分に相当するので、正方向Ｗ１への搬送時に正確に読み取られている可能性が高い。そこで、図４（ｄ）に示すように、カードＴを正方向Ｗ１に搬送して正確に読み取られた磁気情報ＭＤ１（以下「正磁気情報ＭＤ１」という。）のうち所定の位置Ｐより下流側の磁気情報ＭＤ１ｓ（以下「正部分情報ＭＤ１ｓ」（第１の部分情報）という。）と、カードＴを逆方向Ｗ２に搬送して正確に読み取られた磁気情報ＭＤ２（以下「逆磁気情報ＭＤ２」という。）のうち所定の位置Ｐより下流側の磁気情報ＭＤ２ｓ（以下「逆部分情報ＭＤ２ｓ」（第２の部分情報）という。）とを結合して、カードＴに記録されていた全体の磁気情報ＭＤに相当する全体情報ＭＤＡを得る。
【００２７】
図３に戻り、磁気情報に関する符号については適宜図４を参照しながら、制御装置３０の構成の説明を続ける。処理部３２は、エンコード部１６で読み取られた磁気情報ＭＤを、正方向Ｗ１で読み取った正磁気情報ＭＤ１と逆方向Ｗ２で読み取った逆磁気情報ＭＤ２とに区別してデジタルデータとして記憶部３３又は比較部３４に送信する磁気データ処理部３２１と、読み取った方向により区別された正磁気情報ＭＤ１及び逆磁気情報ＭＤ２を記憶部３３から受け取ってそれぞれ正部分情報ＭＤ１ｓと逆部分情報ＭＤ２ｓとを抽出する抽出部３２２と、抽出部３２２で抽出した正部分情報ＭＤ１ｓと逆部分情報ＭＤ２ｓとを結合して全体の磁気情報ＭＤに相当する全体情報ＭＤＡを生成する生成部３２３とを有している。
【００２８】
記憶部３３は、正磁気情報ＭＤ１を記憶する第１データ記憶部３３１と、逆磁気情報ＭＤ２を記憶する第２データ記憶部３３２と、全体情報ＭＤＡを得るための正磁気情報ＭＤ１と逆磁気情報ＭＤ２とを結合する際の結合点となる所定の位置Ｐに関するデータを記憶する結合点データ記憶部３３３と、正磁気情報ＭＤ１又は全体情報ＭＤＡがカード処理装置１における処理に適したデータとなっているかの判断の基準となる基準データを記憶する基準データ記憶部３３４とを有している。結合点データ記憶部３３３に記憶されている所定の位置Ｐに関するデータは、外部の入力手段（不図示）により変更することができるように構成されている。基準データ記憶部３３４に記憶されている基準データは、典型的には、カードＴの残高等の記録項目の種類とその数（記録ビット数）、記録の順番（ビットの位置）等を示すものであり、カード処理装置１で処理可能なカードＴの規格に対応するようにあらかじめ決定されている。
【００２９】
また、判定部３１は、比較部３４を有している。比較部３４は、磁気ヘッド１６ｈで読み取られた磁気情報ＭＤを、基準データ記憶部３３４に記憶されている基準データに照らして適合するか否か、換言すれば磁気ヘッド１６ｈによる読み取りに不良が生じているか否かを判断する部分である。比較部３４は、磁気データ処理部３２１から正磁気情報ＭＤ１を、生成部３２３から全体情報ＭＤＡを、基準データ記憶部３３４から基準データをそれぞれ受け取ることができ、第１記憶部３３１に正磁気情報ＭＤ１を、制御部３５に判定信号をそれぞれ送ることができるように構成されている。なお、カードＴに記録されている磁気情報ＭＤがもつ内容自体の判定（例えば有効期限等）は、典型的には、上位機器である自動精算機（不図示）の制御装置（不図示であり、一般にカード処理装置１の制御装置３０とは異なる。）が行うが、複数の自動精算機（不図示）が接続された制御装置としてのホストコンピュータが行うようにしてもよい。
【００３０】
磁気データ処理部３２１は、磁気ヘッド１６ｈで読み取った正磁気情報ＭＤ１を比較部３４に、及び逆磁気情報ＭＤ２を第２データ記憶部３３２にそれぞれ送ることができるように構成されている。抽出部３２２は、第１データ記憶部３３１から正磁気情報ＭＤ１を、第２データ記憶部３３２から逆磁気情報ＭＤ２を、結合点データ記憶部３３３から所定の位置Ｐに関するデータをそれぞれ受け取り、抽出した正部分情報ＭＤ１ｓ及び逆部分情報ＭＤ２ｓを生成部３２３に送ることができるように構成されている。生成部３２３は、抽出部３２２から正部分情報ＭＤ１ｓ及び逆部分情報ＭＤ２ｓを受け取り、生成した全体情報ＭＤＡを比較部３４に送ることができるように構成されている。
【００３１】
第１データ記憶部３３１は、正磁気情報ＭＤ１を、比較部３４から受け取り、抽出部３３２に送ることができるように構成されている。第２データ記憶部３３２は、逆磁気情報ＭＤ２を、磁気データ処理部３２１から受け取り、抽出部３３２に送ることができるように構成されている。結合点データ記憶部３３３は、外部からの入力を受け付けることができると共に、所定の位置Ｐに関するデータを抽出部３２２に送ることができるように構成されている。基準データ記憶部３３４は、外部からの入力を受け付けることができると共に、比較部３４に基準データを送ることができるように構成されている。
【００３２】
上述のように、制御装置３０は制御部３５及び判定部３１を有し、さらに判定部３１は処理部３２、記憶部３３、比較部３４を有するところ、制御部３５、判定部３１、処理部３２、記憶部３３、比較部３４は説明の便宜上観念的に区別したものであって、物理的に区別されていなくてもよい。制御部３５、判定部３１、処理部３２、記憶部３３、比較部３４は、典型的にはコンピュータ内（ＣＰＵやメモリ等）に渾然一体に構成されている。
【００３３】
引き続き図５を参照して、カード処理装置１の作用を説明する。図５は、カード処理装置１の処理のフロー図である。なお、以下の説明で言及するカード処理装置１の各部材の符号については適宜図１乃至図４を参照することとする。カード処理装置１は、挿入部１４の挿入口１４ａからカードＴを受け入れ（Ｓ１）、整列部１４ｂにより整列（幅寄せ）させ（Ｓ２）、検出部１４ｃによりカードＴの種類を検出する（Ｓ３）。制御部３５は、検出部１４ｃから受信した検出信号から、挿入されたカードＴが、磁気情報ＭＤが記録されたカードＴか否かを判断し（Ｓ４）、磁気カードでなければ振り分け装置１５を第３搬送部１３側に切り替えてカードＴをＩＣカード処理部２０に搬送する。本明細書では、ＩＣカード処理部２０におけるカードＴの処理の説明は省略する。他方、磁気カードであれば振り分け装置１５を第２搬送部１２側に切り替えてカードＴをエンコード部１６に搬送し（Ｓ５）、磁気情報ＭＤの読み取り処理を行う（Ｓ６）。
【００３４】
ここで図６を参照して、磁気情報ＭＤの読み取り処理（Ｓ６）の流れを説明する。図６は、磁気情報ＭＤの読み取り処理のフロー図である。制御部３５は、カードＴを、振り分け機構１５を経由させてエンコード部１６に搬送し、エンコード部１６ではプラテンローラ１６ｒにより正方向Ｗ１に搬送して、カードＴに記録されている磁気情報ＭＤの読み取りを試みる（Ｓ２１）（図４（ｂ）参照）。判断部３１は、カードＴが正方向Ｗ１に搬送されて読み取られた正磁気情報ＭＤ１を、磁気データ処理部３２１を介して比較部３４に送り、基準データ記憶部３３４に記憶されている基準データに照らしてカードＴに記録されている磁気情報ＭＤの読み取りが正常に行われたか否かを判断する（Ｓ２２）。この判断は、例えば磁気情報ＭＤのプリアンブルデータｐｒ及びポストアンブルデータｐｓが読み取られたか否か、あるいは基準データとして規定されているカードＴに記録されているべきクロックパルスＣがすべて読み取られたか否かにより判断することができる。読み取りが正常に行われている場合は次工程（この場合は図５におけるカードＴを保留部１９に搬送する工程（Ｓ７））に進む。
【００３５】
他方、読み取りが正常に行われたか否かを判断する工程（Ｓ２２）において、読み取りが正常に行われていない場合は、判断部３１は、正磁気情報ＭＤ１を第１記憶部３３１に送って記憶する（Ｓ２３）。次に、制御部３５は、カードＴをプラテンローラ１６ｒにより逆方向Ｗ２に搬送して、カードＴに記録されている磁気情報ＭＤの読み取りを試みる（Ｓ２４）（図４（ｃ）参照）。そして判定部３１は、逆方向Ｗ２に搬送して読み取った逆磁気情報ＭＤ２を第２記憶部３３２に送って記憶する（Ｓ２５）。その後抽出部３２２は、第１記憶部３３１から正磁気情報ＭＤ１を、第２記憶部３３２から逆磁気情報ＭＤ２を受け取り、結合点データ記憶部３３３から受け取る所定の位置Ｐに関するデータを参照して、正磁気情報ＭＤ１から正部分情報ＭＤ１ｓを抽出し、逆磁気情報ＭＤ２から逆部分情報ＭＤ２ｓを抽出する（Ｓ２６）。所定の位置Ｐは、全体情報ＭＤＡを高い確率で作成できるという観点からあらかじめ決定された任意の位置であり、本実施の形態では、配列された磁気情報ＭＤの中間点を所定の位置Ｐとしており、例えばクロックパルスＣが７２個（Ｃ１〜Ｃ７２（図２（ｂ）参照））の場合は、クロックパルスＣ３６とクロックパルスＣ３７との間に所定の位置Ｐが決められている。
【００３６】
生成部３２３は、抽出された正部分情報ＭＤ１ｓ及び逆部分情報ＭＤ２ｓを抽出部３２２から受け取り、これを結合して全体情報ＭＤＡを生成する（Ｓ２７）（図４（ｄ）参照）。全体情報ＭＤＡを生成したら、判断部３１は、全体情報ＭＤＡを比較部３４に送り、基準データ記憶部３３４に記憶されている基準データに照らして全体情報ＭＤＡの生成が正常に行われたか否かを判断する（Ｓ２８）。この判断は、例えば基準データとして規定されているカードＴに記録されているべきクロックパルスＣがすべて存在するか否かにより判断することができる。全体情報ＭＤＡの生成が正常に行われている場合は次工程（この場合は図５におけるカードＴを保留部１９に搬送する工程（Ｓ７））に進む。
【００３７】
他方、全体情報ＭＤＡの生成が正常に行われたか否かを判断する工程（Ｓ２８）において、生成が正常に行われていない場合は、判断部３１は、全体情報ＭＤＡの生成が正常に行われなかった回数が所定の回数か否かを判断する（Ｓ２９）。所定の回数は、磁気情報ＭＤを読み取る工程（Ｓ２１、Ｓ２４）において、磁気情報ＭＤの読み取りを、全体情報ＭＤＡを生成することが可能な程度に読み取ることができないと一応判断することができる回数であり、例えば５回とすることができる。所定の回数を少なくすると利用者の処理待ち時間を短くすることができ、所定の回数を多くすると全体情報ＭＤＡの生成が正常に行われる確率を高めることができる。全体情報ＭＤＡの生成が正常に行われなかった回数が所定の回数か否かを判断する工程（Ｓ２９）において、所定の回数のときは画像や音によりエラー（異常）を表示して（Ｓ３０）磁気情報ＭＤの読み取り処理を終了する。他方、所定の回数未満のときは、再びカードＴを正方向Ｗ１に搬送してカードＴに記録されている磁気情報ＭＤの読み取りを試みる工程（Ｓ２１）に戻り、以降の処理を上述のように進める。
【００３８】
再び図５に戻ってカード処理装置１の作用の説明を続ける。上述の磁気情報ＭＤの読み取り処理（図６参照）において、正磁気情報ＭＤ１が正常に読み取られた場合（図６に示すフローの工程Ｓ２２においてＹｅｓ）、又は全体情報ＭＤＡが正常に生成された場合（図６に示すフローの工程Ｓ２８においてＹｅｓ）は、制御部３５は、カードＴを、パンチ部１７及び印字部１８をスルーして保留部１９に搬送し、利用者からの入力を待機する（Ｓ７）。利用者からの入力があったら（Ｓ８）、制御部３５は、カードＴを印字部１８に搬送して利用者からの入力に基づいた更新情報に関する印字をカードＴに行い（Ｓ９）、次いでパンチ部１７に搬送して穿孔をカードＴの所定の位置に行い（Ｓ１０）、その後エンコード部１６に搬送して（Ｓ１１）、利用者からの入力に基づいた更新情報を磁気ヘッド１６ｈでカードＴに書き込む（Ｓ１２）。
【００３９】
利用者からの入力に基づいた更新情報をカードＴに書き込んだら（Ｓ１２）、書き込んだ磁気情報ＭＤが更新された情報に合致しているかの確認（ベリファイ処理）を行うために磁気情報ＭＤの読み取り処理を行う（Ｓ１３）。ここでの磁気情報ＭＤの読み取りは、上述した図６に示すフローと同じ手順により行われる。ただし、図６中の、カードＴに記録されている磁気情報ＭＤの読み取りが正常に行われたか否かを判断する工程（Ｓ２２）において正常に行われている場合に進む次工程、及び全体情報ＭＤＡの生成が正常に行われたか否かを判断する工程（Ｓ２８）において正常に生成されている場合に進む次工程が、図５におけるカードＴをカード処理装置１から放出する工程（Ｓ１４）である点において上述の説明と相違している。ベリファイ処理（Ｓ１３）において、カードＴに書き込まれた磁気情報ＭＤを正確に把握できない場合は画像や音によりエラー（異常）を表示して（図６における工程Ｓ３０）磁気情報ＭＤの読み取り処理を終了する。他方、書き込んだ磁気情報ＭＤが更新された情報に合致している場合は、制御部３５は、第２搬送部１２及び第１搬送部１１の搬送ベルトを逆転させて、カードＴをカード処理装置１から放出する（Ｓ１４）。カードＴは、典型的には、挿入部１４の挿入口１４ａから放出される。
【００４０】
以上の説明では、カード状媒体処理装置としてのカード処理装置１が自動精算機に適用されるものであるとしたが、自動券売機や自動改札機、あるいは店舗に設置されているプリペイドカード（代金前払いカード）処理装置等の、磁気情報が記録されたカード状の媒体を処理する他の装置に適用してもよい。
【００４１】
以上の説明では、磁気情報ＭＤのデータ本体ｂにデータＤとクロックパルスＣとがそれぞれ１トラックに書き込まれていることとしたが（合計２トラックとなる）、例えば図２（ｃ）に示すように１トラック中にデータＤとクロックパルスＣとが書き込まれる記録方式として構成されていてもよい。また、データ本体ｂにはデータＤの位置の対応を取るためにクロックパルスＣが記録されているとしたが、磁気情報の所在が分かるように（データＤを不足なく読み取ることができたかが分かるように）構成されていれば他の方式で記録されていてもよい。
【００４２】
以上の説明では、磁気情報ＭＤを磁気ヘッド１６ｈで読み取る際、プラテンローラ１６ｒによりカードＴを動かすこととしたが、カードＴを動かさずに磁気ヘッド１６ｈを動かして磁気情報ＭＤを読み取るように構成されていてもよい。また、カードＴ及び磁気ヘッド１６ｈの両方を動かして磁気情報ＭＤを読み取るように構成されていてもよい。また、以上の説明では、プラテンローラ１６ｒと第２搬送部１２とが共通の駆動手段（ステッピングモータ）により駆動されることとしたが、別の駆動手段によりそれぞれ駆動されることとしてもよい。この場合、プラテンローラ１６ｒと第２搬送部１２とのカードＴの搬送速度に差があっても適用することが可能であるが、スリップの発生を抑制する観点からそれぞれの駆動手段の同期を取って速度差を解消することが好ましい。
【００４３】
以上の説明では、制御部３５と判定部３１とが制御装置３０内に一体に構成されているとしたが、制御部３５と判定部３１とが別体で構成されていてもよい。しかしながら、制御部３５と判定部３１とが、典型的には共にコンピュータ（ＣＰＵやメモリ等）として具現されていることを考慮すると、一体に構成するのが好適である。
【００４４】
以上の説明では、全体情報ＭＤＡを生成するために正磁気情報ＭＤ１及び逆磁気情報ＭＤ２から正部分情報ＭＤ１ｓ及び逆部分情報ＭＤ２ｓを抽出する際の所定の位置Ｐが、配列された磁気情報ＭＤの中間点（クロックパルスＣが７２個の場合のクロックパルスＣ３６とクロックパルスＣ３７との間）であるとしたが、所定の位置Ｐを変更して、例えば、磁気情報ＭＤを１：３に分割する位置（クロックパルスＣが７２個の場合のクロックパルスＣ１８とクロックパルスＣ１９との間）を所定の位置Ｐとしてもよい。このようにすると、正方向Ｗ１に読み取ったときに発生する読み取り不良の範囲と逆方向Ｗ２に読み取ったときに発生する読み取り不良の範囲とが異なる場合に、所定の位置Ｐを適切に調整することで全体情報ＭＤＡを高い確率で作成することが可能になる。所定の位置Ｐの変更は、外部の入力手段（不図示）からの入力により結合点データ記憶部３３３に記憶されている所定の位置Ｐに関するデータを変更することで行うことができる。
【図面の簡単な説明】
【００４５】
【図１】本発明の実施の形態に係るカード処理装置の模式的構造図である。
【図２】磁気情報が記録されたカード状の媒体の概略構成を示す。（ａ）はカードの平面図、（ｂ）はカードに記録された磁気情報の一例を示す構造図、（ｃ）はカードに記録された磁気情報の別の例を示す構造図である。
【図３】制御装置の概略構成を示すブロック図である。
【図４】読み取り不良が発生した場合の磁気情報を補完する方法の概念を説明する図である。
【図５】本発明の実施の形態に係るカード処理装置の処理のフロー図である。
【図６】磁気情報の読み取り処理のフロー図である。
【符号の説明】
【００４６】
１      カード処理装置（カード媒体処理装置）
１６    エンコード部
１６ｈ  磁気ヘッド
３０    制御装置
３２３  生成部（全体情報生成手段）
ＭＤ    磁気情報
ＭＤ１  正磁気情報
ＭＤ２  逆磁気情報
ＭＤ１ｓ  正部分情報（第１の部分情報）
ＭＤ２ｓ  逆部分情報（第２の部分情報）
ＭＤＡ  全体情報
Ｐ    所定の位置
Ｔ    カード
Ｗ１  正方向（第１の方向）
Ｗ２  逆方向（第２の方向）
【図１】
2009048339.tif 000003
【図２】
2009048339.tif 000004
【図３】
2009048339.tif 000005
【図４】
2009048339.tif 000006
【図５】
2009048339.tif 000007
【図６】
2009048339.tif 000008